【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
開口ベッドと、
液体を動作可能に収容する容器であって、貫通孔を有する少なくとも一の壁を含む容器と、
容器の外部に配置され、前記貫通孔において液体と流体接触する関係にあるように動作可能に配置された変換部分を有する超音波トランスデューサ装置と、
を備える模擬火炎効果装置。
【請求項２】
開口ベッドと、
水を収容するように適合した容器を含む蒸気発生装置であって、蒸気を開口ベッドの下側に供給するように配置された出力を有する蒸気発生装置と、
容器の液体と液体接触する関係にあるように動作可能に配置された変換部分を有する超音波トランスデューサであって、最低約１.７ＭＨｚの周波数で動作するように構成される超音波トランスデューサと、
を備える模擬火炎効果装置。
【請求項３】
超音波トランスデューサ装置は容器の外側に配置され、変換部分は容器の貫通孔において液体と流体接触する関係にあるように動作可能に配置されている、
請求項２に記載の模擬火炎効果装置。
【請求項４】
約２ＭＨｚの周波数で動作するように超音波トランスデューサが構成される請求項２または３に記載の模擬火炎効果装置。
【請求項５】
約２.４ＭＨｚから約３ＭＨｚまでの範囲の周波数で動作するように超音波トランスデューサが構成される請求項４に記載の模擬火炎効果装置。
【請求項６】
開口ベッドの下の少なくとも一の位置へ超音波トランスデューサにより生成された蒸気を移送する手段をさらに含む先行する請求項のいずれかに記載の模擬火炎効果装置。
【請求項７】
開口ベッドの下の少なくとも一の位置へ超音波トランスデューサにより生成された蒸気を移送する手段は、容器に空気の流れを付与するように構成されたファンを備える請求項６に記載の模擬火炎効果装置。
【請求項８】
開口ベッドの実質的に下方に配置された蒸気分配要素をさらに備え、当該蒸気分配要素は、上側及び下側の壁を有し、前記各上側及び下側の壁に少なくとも一の開口を有する、先行する請求項のいずれかに記載の模擬火炎効果装置。
【請求項９】
上側及び下側の壁の各開口が実質的に垂直に整列されている請求項８に記載の模擬火炎効果装置。
【請求項１０】
蒸気分配要素の下方に配置され、かつ、開口ベッドを通して空気の上昇流を動作可能に与えるための手段をさらに有する請求項８または９に記載の模擬火炎効果装置
【請求項１１】
開口ベッドを通じて空気の上昇流を動作可能に与える手段は、少なくとも一の光源を備える請求項１０に記載の模擬火炎効果装置。
【請求項１２】
開口ベッドの下方に配置された少なくとも一の光源をさらに含んでいる請求項１または２に記載の模擬火炎効果装置。
【請求項１３】
超音波トランスデューサ装置は、サポートプレートに気密に設置されたトランスデューサディスクを備え、当該ディスクは液体接触表面を有する、先行する請求項のいずれかに記載の模擬火炎効果装置。
【請求項１４】
超音波トランスデューサ装置は、最低１.７ＭＨｚの周波数で動作するように構成される請求項１及び請求項６〜１３のいずれかに記載の模擬火炎効果装置。
【請求項１５】
超音波トランスデューサ装置は、最低約２ＭＨｚの周波数で動作するように構成される請求項１４に記載の模擬火炎効果装置。
【請求項１６】
超音波トランスデューサ装置は、約２.４ＭＨｚから約３ＭＨｚまでの範囲の周波数で動作するように構成される請求項１５に記載の模擬火炎効果装置。
【請求項１７】
開口ベッドと、
液体を収容するように適合した容器を含む蒸気発生装置と、を備え、
前記蒸気発生装置は、蒸気を開口ベッドの下側に供給するように配置された出力と、
容器内で液体と流体接触する関係にあるように動作可能に配置された変換部分を有する超音波トランスデューサと、
動作可能に容器と流体連通している液体供給リザーバと、
前記リザーバから容器への液体の流れを調節して、それにより、実質的に一定量の液体を容器に提供する手段と、
を備える模擬火炎効果装置。
【請求項１８】
開口ベッドと、
開口ベッドの下方の位置に蒸気を動作可能に供給するように構成された蒸気出力ポートを有する蒸気発生装置と、
開口ベッドの下方に配置された少なくとも一の熱源であって、当該少なくとも一の熱源からの熱が開口ベッドから上方へ向かって蒸気を効果的に運ぶように空気流を誘導するように配置された少なくとも一の熱源と
を備える模擬火炎効果装置。
【請求項１９】
少なくとも一の熱源は、少なくとも一の熱生成光源を含む請求項１８に記載の模擬火炎効果装置。
【請求項２０】
開口ベッドの下方の少なくとも一の位置へ蒸気発生装置により生成された蒸気を移送する手段をさらに含む請求項１９に記載の模擬火炎効果装置。
【請求項２１】
蒸気を移送する手段は、蒸気発生装置に空気の流れを付与するように構成されたファンを備える請求項２０に記載の模擬火炎効果装置。
【請求項２２】
蒸気発生要素からの蒸気を受容する蒸気分配要素をさらに含み、この蒸気分配要素は、開口ベッドの実質的に下方に配置され、上側及び下側の壁を持ち、少なくとも一の開口を前記各上側及び下側の壁に有する請求項１８ないし２１のいずれかに記載の模擬火炎効果装置。
【請求項２３】
上側及び下側の壁の各開口が実質的に垂直に整列されている請求項２２に記載の模擬火炎効果装置。
【請求項２４】
少なくとも一の熱源は、開口、または、下側の壁の各開口の下方で動作可能に配置されている、請求項２２または２３に記載の模擬火炎効果装置。
【請求項２５】
蒸気発生装置は、動作可能に液体を収容するように適合された容器と、液体と流体接触する関係にあるように動作可能に配置された変換部分を有する超音波トランスデューサ装置と、
を備える請求項１８ないし２４のいずれかに記載の模擬火炎効果装置。
【請求項２６】
超音波トランスデューサ装置は、サポートプレートに気密に設置されたトランスデューサディスクを備え、当該ディスクは液体接触表面を有する
請求項２５に記載の模擬火炎効果装置。
【請求項２７】
超音波トランスデューサ装置は、最低１.７ＭＨｚの周波数で動作するように構成される請求項２６に記載の模擬火炎効果装置。
【請求項２８】
超音波トランスデューサ装置は、最低約２ＭＨｚの周波数で動作するように構成される請求項２７に記載の模擬火炎効果装置。
【請求項２９】
超音波トランスデューサ装置は、約２.４ＭＨｚから約３ＭＨｚまでの範囲の周波数で動作するように構成される請求項２８に記載の模擬火炎効果装置。
【請求項３０】
開口ベッドと、 
少なくとも一の蒸気出力ポートを有する蒸気発生装置と、
少なくとも一の壁により画定された蒸気分配チャンバとを備え、
前記蒸気分配チャンバは、前記蒸気出力ポートと流体連通する少なくとも一の蒸気入口ポートと、少なくとも一の蒸気出口と、前記蒸気発生装置と流体連通していない前記チャンバの下方の部分に配置された少なくとも一の開口と、前記開口の近くに配置され、前記チャンバを通して空気の上昇流を付与するための手段とを備える、
模擬火炎効果装置。
【請求項３１】
蒸気分配チャンバは、開口ベッドの直下に置かれる請求項３０に記載の模擬火炎効果装置。
【請求項３２】
空気の上昇流を付与する手段は、加熱手段を含む請求項３０または３１に記載の模擬火炎効果装置。
【請求項３３】
空気の上昇流を付与する手段は、ファンを含む請求項３０ないし３２のいずれかに記載の模擬火炎効果装置。
【請求項３４】
空気の上昇流を付与する手段は、少なくとも一の熱生成光源である請求項３０または３１に記載の模擬火炎効果装置。
【請求項３５】
空気の上昇流を付与する手段は、少なくとも一の熱生成光源である請求項３２または３３に記載の模擬火炎効果装置。
【請求項３６】
前記光源は、空気の上昇流を付与するための単独の手段である請求項３４に記載の模擬火炎効果装置。
【請求項３７】
前記チャンバは、少なくとも一の蒸気導き壁またはバッフルを含む請求項３０ないし３６のいずれかに記載の模擬火炎効果装置。
【請求項３８】
前記装置が、蒸気発生装置により蒸気分配チャンバに生成された蒸気を移送する手段をさらに含む請求項３０ないし３７のいずれかに記載の模擬火炎効果装置。
【請求項３９】
前記手段は、蒸気発生装置に空気の流れを付与するように構成されたファンを備える請求項３８に記載の模擬火炎効果装置
【請求項４０】
蒸気分配要素は、開口ベッドの直下に配置され、
前記蒸気分配要素は、上側及び下側の壁を持ち、前記各上側及び下側の壁に少なくとも一の開口を有し、
前記上側の壁の少なくとも一の開口は、前記少なくとも一の蒸気出口を画定している、
請求項３０ないし３９のいずれかに記載の模擬火炎効果装置。
【請求項４１】
上側及び下側の壁の各開口が実質的に垂直に整列されている請求項４０に記載の模擬火炎効果装置。
【請求項４２】
蒸気発生装置は、液体を収容するように動作可能に適合された容器と、液体と流体連通するように動作可能に配置された変換部分を有する超音波トランスデューサ装置と
を備える請求項３０ないし４１のいずれかに記載の模擬火炎効果装置。
【請求項４３】
超音波トランスデューサ装置が、サポートプレートに気密に設置されたトランスデューサディスクを備え、当該ディスクは液体接触表面を有する、
請求項４２に記載の模擬火炎効果装置。
【請求項４４】
超音波トランスデューサ装置は、最低１.７ＭＨｚの周波数で動作するように構成される請求項４２または４３に記載の模擬火炎効果装置。
【請求項４５】
超音波トランスデューサ装置は、最低約２ＭＨｚの周波数で動作するように構成される請求項４４に記載の模擬火炎装置。
【請求項４６】
超音波トランスデューサ装置は、約２.４ＭＨｚから約３ＭＨｚまでの範囲の周波数で動作するように構成される請求項４５に記載の模擬火炎効果装置。
【請求項４７】
開口ベッドと、
液体を収容するように適合された容器であって、液体の上方にヘッドスペースを提供し、かつ、蒸気出口ポートを含む容器と、
動作可能に液体と液体接触する関係にあり、前記ヘッドスペースで蒸気を生成するように作動する変換表面を有する超音波トランスデューサ装置と、
ヘッドスペース内へ、および、蒸気出口ポートから延びる経路に沿って空気の流れを付与する手段と、を備え、
出口ポートは前記空気流の経路が開口ベッドの下方の容器から出るように設けられ、空気流を付与する手段は開口ベッドから上方へ向けて導く、
模擬火炎効果装置。
【請求項４８】
空気流を付与する手段は、容器に空気の流れを付与するように構成されたファンを備える請求項４７に記載の模擬火炎効果装置。
【請求項４９】
蒸気出口ポートから蒸気を受容する開口ベッドの実質的に下方に配置されている蒸気分配要素をさらに備える、
請求項４７または４８に記載の模擬火炎効果装置。
【請求項５０】
蒸気分配要素は、上側及び下側の壁を備え、前記各上側及び下側の壁に少なくとも一の開口を有する
請求項４９に記載の模擬火炎効果装置。
【請求項５１】
上側及び下側の壁の各開口は、実質的に垂直に整列されている
請求項４９に記載の模擬火炎効果装置。
【請求項５２】
開口ベッドから上方へ導かれる空気流を付与する手段は、加熱手段を有する、請求項４７ないし５１のいずれかに記載の模擬火炎効果装置。
【請求項５３】
開口ベッドから上方へ導かれる空気流を付与する手段は、ファンを含む、請求項４７ないし５２のいずれかに記載の模擬火炎効果装置。
【請求項５４】
開口ベッドから上方へ導かれる空気流を付与する手段は、少なくとも一の熱生成光源である、請求項５２または５３に記載の模擬火炎効果装置。
【請求項５５】
開口ベッドから上方へ導かれる空気流を付与する手段は、少なくとも一の熱生成光源である、請求項４７ないし５１のいずれかに記載の模擬火炎効果装置。
【請求項５６】
前記光源又は複数の光源は、空気の上昇流を付与するための単独の手段である、請求項５５に記載の模擬火炎効果装置。
【請求項５７】
超音波トランスデューサ装置は、容器の外側に配置され、変換部分は容器の貫通孔において液体と動作可能に流体接触する関係にあるように配置されている、請求項４７ないし５６のいずれかに記載の模擬火炎効果装置。
【請求項５８】
超音波トランスデューサ装置は、サポートプレートに気密に設置されたトランスデューサディスクを備え、当該ディスクは液体接触表面を有する請求項５７に記載の模擬火炎効果装置。
【請求項５９】
超音波トランスデューサ装置は、最低１.７ＭＨｚの周波数で動作するように構成される４７から５８のいずれかに記載の模擬火炎効果装置。
【請求項６０】
超音波トランスデューサ装置は、最低約２ＭＨｚの周波数で動作するように構成される請求項５９に記載の模擬火炎効果装置。
【請求項６１】
超音波トランスデューサ装置は、約２.４ＭＨｚから約３ＭＨｚまでの範囲の周波数で動作するように構成される請求項６０に記載の模擬火炎効果装置。
【請求項６２】
液体を容器に供給するために容器と動作可能に連通する液体供給リザーバをさらに含んでいる、請求項４７ないし６１のいずれかに記載の模擬火炎効果装置。
【請求項６３】
実質的に一定量の液体が容器に維持されるように、リザーバから容器への液体の流れをコントロールするように作動する制御手段をさらに備える、請求項６２に記載の模擬火炎効果装置。
【請求項６４】
開口ベッドと、
液体を動作可能に収容する容器と、
液体と流体連通するように動作可能に配置された変換部分を有する超音波トランスデューサ装置と、
超音波トランスデューサ装置により生成された蒸気を容器から開口ベッドの下方の位置へ移送する手段と、を備え、
超音波トランスデューサ装置は、開口ベッドの最も低い部分よりも低くない位置に配置されている、模擬火炎効果装置。
【請求項６５】
蒸気を移送する手段は、容器から開口ベッドの下方の位置へ延びている導管を含む、請求項６４に記載の模擬火炎効果装置。
【請求項６６】
導管及び容器は、部分的に、共通の壁により画定されている、請求項６５に記載の模擬火炎効果装置。
【請求項６７】
請求項３及び請求項６〜１６のいずれかの特徴又は特徴の組み合わせをさらに備える、請求項６４ないし６６のいずれかに記載の模擬火炎効果装置。
【請求項６８】
実質的に図１ないし図３７のいずれかを参照して記述された模擬火炎効果装置。
【請求項６９】
実質的に図３８ないし図６１を参照して記述された、模擬火炎効果装置。
【請求項７０】
液体を有する容器と前記液体と接触する超音波トランスデューサ装置とを提供するステップと、
前記超音波トランスデューサ装置を用いて液体から蒸気を生成するステップと、
前記開口ベッドの下側領域ヘ前記蒸気を運ぶステップと、
開口ベッドの下方に熱源を提供するステップと、
前記熱源により前記開口ベッドを通じて上方に向かう空気流を精製するステップと、
を備える火炎をシミュレーションする方法。
【請求項７１】
熱源は、１つ以上の熱生成光源を備える請求項７０に記載の方法。